(57)【要約】【課題】      釣糸が螺旋状に引き出されたり、バックラッシュが掛かって引き出されることのない糸巻きケ−スを提供することである。【解決手段】  糸巻きケ−スは本体１と蓋体２と前蓋３と本体１内の前後に複数枚の仕切り体４とを有し、縦方向の複数枚の仕切り体４の間に糸巻き５が収納され、本体１内の仕切り体４の間の底部に設けた糸巻き受け６で糸巻き５が支えられている。  糸巻き受け６は基部６ａと、基部６ａの前後に延びた弾性を有する立ち上がり部６ｂと、立ち上がり部６ｂの両側に設けたガ−ド部６ｃと、基部６ａの下側に延びた保持部６ｄで形成されている。【選択図】        図１
2008017727.tif 000002
【特許請求の範囲】
【請求項１】
糸巻きを収納する糸巻きケ−スの内側に糸巻きを縦方向に収納し、前記糸巻きを弾性を有する糸巻き受けで支持したことを特徴とする糸巻きケ−ス。
【請求項２】
糸巻き受けは糸巻きの自重で撓むことを特徴とする請求項１記載の糸巻きケ−ス。
【請求項３】
糸巻き受けは前後に糸巻きを載せた時に撓む立ち上がり部を有することを特徴とする請求項１記載の糸巻きケ−ス。
【請求項４】
糸巻き受けに糸巻きを縦方向に保持するガ−ド部を設けたことを特徴とする請求項１記載の糸巻きケ−ス。
【請求項５】
糸巻きケ−スの内側には糸巻きを縦方向に保持する仕切り体を有することを特徴とする請求項１記載の糸巻きケ−ス。
【請求項６】
糸巻きケ−スは本体と蓋体を有し、本体に設けた糸巻き受けで支持した糸巻きを、縦方向に保持する仕切り体を前記蓋体に設けたことを特徴とする請求項１記載の糸巻きケ−ス。
【発明の詳細な説明】
【技術分野】
【０００１】
本発明は、釣場の地面等の平面上に載置出来ると共に糸巻きを縦方向に収納してバックラッシュせずに釣糸を引き出せる糸巻きケ−スに関する。
【背景技術】
【０００２】
従来釣場に携行する糸巻きケ−スは特許文献１のように、平たい蓋付きケ−スの中に糸巻きが収納されている。
この糸巻きから釣糸を引き出してリ−ルに巻回する時、横置き状態で引き出すと糸巻き方向と糸引き出し方向が異なるので糸巻きが回り難く、釣糸が螺旋状に引き出されて不都合である。
糸巻きの中心の孔に軸棒を通して釣糸を引き出すと、バックラッシュして引き出されるので回転制動を掛けなければならない不具合がある。
【特許文献１】実開平１−７４７７５号公報
【発明の開示】
【発明が解決しようとする課題】
【０００３】
解決しようとする問題点は、横置き状態で引き出すと糸巻き方向と糸引き出し方向が異なるので糸巻きが回り難く、釣糸が螺旋状に引き出されて不都合である。
糸巻きの中心の孔に軸棒を通して釣糸を引き出すと、バックラッシュして引き出されるので回転制動を掛けなければならない不具合があることである。
【０００４】
本発明の目的は前記欠点に鑑み、釣糸が螺旋状に引き出されたり、バックラッシュが掛かって引き出されることのない糸巻きケ−スを提供することである。
【課題を解決するための手段】
【０００５】
本発明の請求項１は、糸巻きを収納する糸巻きケ−スの内側に糸巻きを縦方向に収納し、前記糸巻きを弾性を有する糸巻き受けで支持したことを要旨とするものである。
本発明の請求項２は、糸巻き受けは糸巻きの自重で撓むことを要旨とするものである。
本発明の請求項３は、糸巻き受けは前後に糸巻きを載せた時に撓む立ち上がり部を有することを要旨とするものである。
本発明の請求項４は、糸巻き受けに糸巻きを縦方向に保持するガ−ド部を設けたことを要旨とするものである。
本発明の請求項５は、糸巻きケ−スの内側には糸巻きを縦方向に保持する仕切り体を有することを要旨とするものである。
本発明の請求項６は、糸巻きケ−スは本体と蓋体を有し、本体に設けた糸巻き受けで支持した糸巻きを、縦方向に保持する仕切り体を前記蓋体に設けたことを要旨とするものである。
【発明の効果】
【０００６】
本発明により、縦方向に糸巻きを収納したので、糸巻き方向と引出し方向が一致して糸の引出しがしやすい。
弾性を有する糸巻き受けの上に糸巻きが載せられるので、糸巻きから糸が引き出されると、引出し動作で糸巻きは上下に動くことになるが、糸巻き受けが糸巻きの動きに追従して動いて糸巻きに接触しているので、糸巻きが空回りしてバックラッシュすることが防止されると共に、糸巻き受けによって糸を引き出す時の糸巻きの動きが糸巻きケ−スに伝わることが防止されるため糸巻きケ−スが安定して載置されて動きにくく糸の引出しが容易に行える。
【発明を実施するための最良の形態】
【０００７】
糸巻きケ−スは本体１と蓋体２と前蓋３と本体１内の前後に複数枚の仕切り体４とを有し、縦方向の複数枚の仕切り体４の間に糸巻き５が収納され、本体１内の仕切り体４の間の底部に設けた糸巻き受け６で糸巻き５が支えられている。
糸巻き受け６は基部６ａと、基部６ａの前後に延びた弾性を有する立ち上がり部６ｂと、立ち上がり部６ｂの両側に設けたガ−ド部６ｃと、基部６ａの下側に延びた保持部６ｄで形成されている。
【実施例１】
【０００８】
以下、図示の一実施例によって本発明を説明すると、図１は糸巻きケ−スの側面図、図２は（ａ）は糸巻きケ−スの正面図で（ｂ）は糸巻きケ−スの背面図、図３は本体の正面壁と側壁を破截し蓋体を角度９０度開いて蓋体を下方にスライドした糸巻きケ−スの斜視図、図４は（ａ）は糸巻きケ−スの側面図で（ｂ）は前蓋を開けて蓋体を幾分持ち上げた側面図で（ｃ）は蓋体を角度４５度開いた側面図、図５（ａ）は蓋体を角度９０度開いた側面図で（ｂ）は開いた蓋体を下方にスライドした側面図である。
【０００９】
糸巻きケ−スは上方に開口部を有する箱状の本体１とこの開口部を開閉可能に閉塞する蓋体２と蓋体２の糸引き出し用の開口２ａを開閉する前蓋３と本体１内の前後に複数枚の仕切り体４とを有し、本体１の内側に形成した縦方向の複数枚の仕切り体４の間に糸巻き５が収納され、本体１内の仕切り体４の間にて本体１の底部に設けた糸巻き受け６で円形の糸巻き５が支えられている。
糸巻き５が収納される箱状の本体１は、糸巻き５の径と略同じ又はこれより幅広の底部からなり、地面に載置して糸の引き出しができる。
複数枚の仕切り体４は本体１の壁部と底部に形成された長孔に保持部６ｄが嵌め込まれて取り付けられている。
本体１は直方形で、本体１の外側の後側両側に縦方向の溝からなる係合部１ａが設けられている。
蓋体２は側面半円形で、蓋体２の外側の後側両側に保持部２ａが形成されて保持部２ａの下側に内向きの突部２ｂが形成されている。
蓋体２は内側が糸巻き５の外周の円形状に合致しており、閉じた時は糸巻き５の回転を可能として、本体１から糸巻き５が脱落しないように保持する。
内向きの突部２ｂは本体１の縦方向の溝からなる係合部１ａに挿入されて係合されている。
本体１の開口縁の外側の前側両側に図示しない係合部が形成されている。
蓋体２の開口縁の外側の前側両側に舌片２ｃが形成されて舌片２ｃの下側に内向きの突部が形成されて本体１の図示しない係合部と蓋体２を閉じた時に係合されて糸巻きケ−ス内に収納された糸巻き５が抜け止めされている。
蓋体２の前面には糸引出し用の開口２ｄが形成されて糸引出し用の開口２ｄの上側に前蓋３を係止する係止部２ｅが形成されている。
蓋体２に仕切り体７が設けられている。
本体１と蓋体２の中に仕切り体７を設けることで糸巻き５が倒れることがない。
【００１０】
前蓋３は本体１の前面に取り付けられる保持部３ａとヒンジ部を介して前蓋部３ｂが形成されている。
糸巻き受け６は金属や合成樹脂の可撓性を有する板状材料で形成され、その長手方向中央に基部６ａを設け、板状材料からなる糸巻き受け６の表裏面を上下方向になるように配し、その両端側を上方に屈曲させて、基部６ａの前後に延びた弾性を有する立ち上がり部６ｂと、立ち上がり部６ｂの両側に設けた上方に向かって壁状に突出し、糸巻き受け６の上に載せた糸巻き５の脱落を防止するガ−ド部６ｃと、基部６ａの下側に延びた保持部６ｄで形成されている。
保持部６ｄは本体１内の底部に形成された長孔に嵌め込まれて糸巻き受け６が糸巻きケ−スの本体１内に取り付けられている。
【００１１】
糸巻きケ−スの本体１内に糸巻き５が収納される時や取り出される時は、図４（ｂ）のように前蓋３が外されて蓋体２がα持ち上げられ、図４（ｃ）、図５（ａ）のように蓋体２が回動されて開かれる。
その後図５（ｂ）のように縦方向の溝からなる係合部１ａ内を蓋体２の内向きの突部２ｂが下方に下げられる。
糸巻き５から図示しない釣糸が引き出される時は、図１の前蓋３が開かれて蓋体２が閉じた状態で蓋体２の前面の糸引出し用の開口２ｄから引き出されたり、図５（ａ）や（ｂ）の状態で引き出される。
【００１２】
本体１内に収容した円形の糸巻き５は、円形状の外周部が接地する方向の縦方向に収納され、その外周部が本体１の前後方向を向くようにして複数の糸巻き５が並設されて収納される。
糸巻き５は外周部が糸巻き受け６上に接するように載置される。
糸巻き受け６の上に載せられたとき、弾性を有する立ち上がり部６ｂの上に糸巻き５が接するので、立ち上がり部６ｂは糸巻き５の自重で下方に撓んだ状態で糸巻き５を支えている。
糸巻き５から糸が引き出されると、糸巻き受け６で弾性的に支持されているため引出し動作で糸巻き５は上下に動くことになるが、立ち上がり部６ｂが糸巻き５の動きに追従して動いて糸巻き５に接触しているので、糸巻き５が空回りして引き出す糸にバックラッシュが掛かることがない。
さらに本体１をその底面を下に載置して糸巻き５から糸を引き出した時に糸巻き５を通じて本体１にかかる力や糸巻き５の振動が糸巻き受け６によって緩和されて本体１に伝わりにくくなるため、糸を引き出した時に本体１が動いてしまうことが防止され、糸の引き出しが容易に行える。
糸巻きケ−スは本体１と蓋体２を有し、本体１の左右両側面の後側に縦方向の溝状の係合部１ａが設けられ、蓋体２の後側両側に内向きの突部２ｂを設けてこの突部２ｂを係合部１ａに、突部２ｂが係合部１ａ内で回動し、かつ、縦方向の溝状の係合部１ａに沿って上下に移動可能に係合している。
したがって、蓋体２が閉まった状態から突部２ｂを中心にして回動すると本体１に対し蓋体２を開くことが出来、さらに、突部２ｂを係合部１ａに沿って移動させ開いた状態で蓋体２を下方に移動させる。
【００１３】
この状態で蓋体２が本体１の後側に移動した状態となるため、本体１を開いた状態に比べ重心が下がるため載置した状態の本体１が安定する。
この状態で本体１の前方側から糸を引き出すと、これと対向側に本体１の後方側に蓋体２が位置するため糸の引き出し力が加わっても本体１が前方側に動いてしまったり、倒れてしまうことが防止され、安定して糸を引き出すことが出来る。
また、本体１の後方側下方に蓋体２が位置する状態で蓋体２が接地するため、より本体１が前方側に動いてしまうことが防止される。
【００１４】
前記のように糸巻きケ−スが構成されると、縦方向に糸巻きを収納したので、糸巻き方向と引出し方向が一致して糸の引出しがしやすい。
糸巻き受け６の弾性を有する立ち上がり部６ｂの上に糸巻き５が載せられるので、立ち上がり部６ｂは糸巻き５の自重で撓んだ状態で糸巻き５を支え、糸巻き５から糸が引き出されると、引出し動作で糸巻き５は上下に動くことになるが、立ち上がり部６ｂが糸巻き５の動きに追従して動いて糸巻き５に接触しているので、糸巻き５が空回りして引き出す糸にバックラッシュが掛かることがない。
なお、糸巻き受け６は可撓性を有する板状材料で形成したが、これに限定されず、発泡ゴム、発泡合成樹脂の弾性材を用いたり、糸巻き５をコイルスプリング等のバネによって支持しても良い。
【産業上の利用可能性】
【００１５】
前記説明では、糸巻きケ−スの全般に利用できる。
【図面の簡単な説明】
【００１６】
【図１】糸巻きケ−スの側面図である。
【図２】（ａ）は糸巻きケ−スの正面図で（ｂ）は糸巻きケ−スの背面図である。
【図３】本体の正面壁と側壁を破截し蓋体を角度９０度開いて蓋体を下方にスライドした糸巻きケ−スの斜視図である。
【図４】（ａ）は糸巻きケ−スの側面図で（ｂ）は前蓋を開けて蓋体を幾分持ち上げた側面図で（ｃ）は蓋体を角度４５度開いた側面図である。
【図５】（ａ）は蓋体を角度９０度開いた側面図で（ｂ）は開いた蓋体を下方にスライドした側面図である。
【符号の説明】
【００１７】
１  本体
２  蓋体
４、７  仕切り体
５  糸巻き
６  糸巻き受け
６ｂ  弾性を有する立ち上がり部
６ｃ  ガ−ド部
【図１】
2008017727.tif 000003
【図２】
2008017727.tif 000004
【図３】
2008017727.tif 000005
【図４】
2008017727.tif 000006
【図５】
2008017727.tif 000007